(57)【特許請求の範囲】
【請求項１】
時間軸上で相関を有するデータ群を送信側から受信側へ通信チャネルを介して伝送する際に、初期フレームタイミングでは前記データ群のうち独立して意味をなす自立情報を伝送し、それ以後の各フレームタイミングではそれぞれ主として元のデータとの差分で構成される従属情報を伝送するデータ伝送システムにおいて、
前記自立情報及び従属情報の伝送中に、受信した自立情報及び従属情報又はこれらの情報を基に復元されるデータ群を記録させるための記録指示が受信側で入力された場合に、当該受信側で前記自立情報及び従属情報を伝送するための通信チャネルを一時的に切断することにより、受信側から送信側へ前記自立情報の送信要求を通知する送信要求通知手段と、
前記送信側で前記通信チャネルの一時的な切断の有無を監視し、この一時的な切断の検出に応じて、送信側から受信側へ少なくとも１フレーム分の自立情報を伝送するデータ伝送制御手段と
を具備したことを特徴とするデータ伝送システム。
【請求項２】
前記記録指示が入力された時点から前記送信要求に応答して自立情報が受信されるまでの間を記録待機期間とし、この記録待機期間経過後に、前記受信自立情報及びその後に受信される従属情報を記録媒体に記録するデータ記録制御手段を、さらに具備したことを特徴とする請求項１記載のデータ伝送システム。
【請求項３】
送信側が、自立情報及び従属情報を伝送するための通信チャネルの一時的な切断の有無を監視し、この一時的な切断の検出に応じて受信側へ少なくとも１フレーム分の自立情報を送信するデータ伝送制御手段を備えるデータ伝送システムで使用され、前記送信側から伝送される自立情報及び従属情報を順次受信して、この受信した自立情報及び従属情報を基に時間軸上で相関を有するデータ群を復元する受信側の通信装置において、
受信した自立情報及び従属情報又はこれらの情報を基に復元されるデータ群を記録させるための記録指示を入力する入力手段と、
前記自立情報及び従属情報の受信中に前記入力手段により記録指示が入力された場合に、前記自立情報及び従属情報を伝送するための通信チャネルを一時的に切断することにより送信側へ前記自立情報の送信要求を通知し、これにより前記送信側のデータ伝送制御手段から前記自立情報を送信させる送信要求手段と
を具備したことを特徴とする通信装置。
【請求項４】
前記記録指示が入力された時点から送信要求の通知に応答して送信側から自立情報が受信されるまでの間を記録待機期間とし、この記録待機期間経過後に、前記受信自立情報及びその後に受信される従属情報を記録媒体に記録するデータ記録制御手段を、さらに具備したことを特徴とする請求項３記載の通信装置。
【請求項５】
前記データ記録制御手段は、前記記録待機状態において、記録動作についての所定のサービス情報を表示する機能を有することを特徴とする請求項４記載の通信装置。
【発明の詳細な説明】
【０００１】
【発明の属する技術分野】
この発明は、例えばＭＰＥＧ−４（Moving Picture Experts Group-4）を採用したシステムのように、初期フレームで絶対値情報を送信し以後は前フレームとの差分情報を順次送信するデータ伝送システムとその通信装置に関する。
【０００２】
【従来の技術】
近年、携帯電話装置や携帯情報端末では、音声通信サービスのみならず、ＳＭＳ（Short Message Service）や電子メールサービス、無線インターネットを利用した情報配信サービス等の種々伝送サービスを使用できるようになってきている。しかしこの種のシステムにおいて、動画像データのような情報量の大きいデータを伝送しようとすると、伝送路帯域がネックとなりそのままでは伝送することができない。
【０００３】
そこで、動画像データを無線伝送する場合には動画像の圧縮／伸張処理が必要となり、その実現手段の一つとしてＭＰＥＧ−４と呼ばれる画像圧縮／伸張方式の採用が検討されている。ＭＰＥＧ−４は、動画像データのように時間軸上で関連性を有するデータを、静止画として圧縮した１画面の全画像情報要素を含み画像データとして独立して意味をなす自立情報としての画像フレーム（以後Ｉフレームと称する）と、１フレーム前の画像データとの差分情報からなるフレーム（以後Ｐフレームと称する）とで表す。そして、伝送開始後の最初のフレームタイミングではＩフレームを送信し、以後の各フレームタイミングではＰフレームを順次送信するようにしたもので、これにより例えば数Mbps 相当の情報量を持つ動画像データを数十Kbps に圧縮して伝送することを可能としている。
【０００４】
ところが、この様に初期フレームのみ絶対値情報を伝送し以後の各フレームでは前フレームとの差分情報を伝送するシステムでは、受信側の装置において例えば使用者がデータ受信途中で録画ボタンを押したとすると、差分情報（Ｐフレーム）しか記録することができず、この結果録画した画像データからは有効な画像再生を行うことができない。
【０００５】
そこでＭＰＥＧ−４では、各Ｐフレームの画面を多数のブロックに分割し、各Ｐフレームごとに任意のブロックのみ差分化しない絶対値情報を伝送するという工夫がなされている。上記絶対値情報が挿入されるブロックはマクロブロックと呼ばれ、送信側は１画面を再構成するに必要なすべてのマクロブロックを複数のＰフレームに分散して周期的に送信する。一方Ｐフレームデータのうち前フレームとの差分データとして圧縮されるものをＰマクロブロックと呼ぶ。上記１画面分のＩマクロブロックを送信する周期を仮にマクロ周期と呼称する。したがって受信側は、少なくとも１マクロ周期分のＰフレームを受信することで、これらのＰフレームにより伝送された複数のＩマクロブロックをもとに絶対値情報からなる１画面データを再構成することができる。
【０００６】
この様な方式であれば、受信側の装置においてデータストリームの受信途中で録画ボタンが押された場合でも、１マクロ周期分のＰフレームを受信することで、その中に含まれるＩ及びＰマクロブロックをもとに完全な１画面データを再生し記録することが可能となる。
【０００７】
【発明が解決しようとする課題】
しかしながらこの様な方式では、録画を開始してから１マクロ周期分のＰフレームを受信するまでの例えば約１０秒間は、完全な１画面データを再構成することができない。このため、録画開始直後の約１０秒間においては記録画像の品質が保証されず、使用者は品質が著しく劣化した記録画像を見せられることになり非常に好ましくなかった。
【０００８】
この発明は上記事情に着目してなされたもので、その目的とするところは、データ受信途中で記録を開始した場合でも、記録指示の入力直後から高品質のデータを記録できるようにしたデータ伝送システムとその通信装置を提供することにある。
【０００９】
【課題を解決するための手段】
上記目的を達成するためにこの発明は、時間軸上で相関を有するデータ群を送信側から受信側へ通信チャネルを介して伝送する際に、初期フレームタイミングでは前記データ群のうち独立して意味をなす自立情報を伝送し、それ以後の各フレームタイミングではそれぞれ主として元のデータとの差分で構成される従属情報を伝送するデータ伝送システムにおいて、上記自立情報及び従属情報の伝送中に、受信側で受信情報又は復元データ群を記録させるための記録指示が入力された場合に、受信側で上記自立情報及び従属情報を伝送するための通信チャネルを一時的に切断することにより受信側から送信側へ上記自立情報の送信要求を通知し、上記送信側で上記通信チャネルの一時的な切断の有無を監視し、この一時的な切断の検出に応じて、送信側から受信側へ少なくとも１フレーム分の自立情報を伝送するようにしたものである。
【００１２】
したがってこの発明によれば、受信側の通信装置においてデータ受信途中で記録指示が入力されると、受信側から送信側へ自立情報の送信要求が送られ、これに応じて送信側から受信側へ従属情報に代わって自立情報が伝送される。このため、データ受信途中で記録指示を入力したにもかかわらず、この記録指示の入力直後から自立情報をもとに完全なデータを記録することが可能となる。
【００１３】
またこの発明は、記録指示が入力された時点から、送信側から伝送された自立情報が受信されるまでは記録待機状態とし、自立情報の受信後にこの自立情報を初期情報として記録を開始することを特徴とする。
【００１４】
この様にすることで、自立情報が受信されるまでの間に、再生に実質的に寄与しない従属情報が無駄に記録される不具合を防止することができ、これにより有限のデータ記録用メモリの記憶容量をより有効に使用できるようになって、データ記録時間を延ばすことが可能となる。
【００１５】
さらに、上記記録待機期間中に、記録動作についての所定のサービス情報、例えば記録開始を使用者に知らせるためのメッセージや、記録開始の承認を使用者に入力させるためのメッセージを表示すれば、使用者に記録待機状態であることを意識させることなくデータ記録を行うことが可能となる。
【００１６】
【発明の実施の形態】
以下、図面を参照してこの発明に係わるデータ伝送システムとその通信装置の実施形態を説明する。
【００１７】
（第１の実施形態）
この発明の第１の実施形態は、移動通信システムの携帯電話端末間で、ＭＰＥＧ−４による画像圧縮／伸張方式を使用して無線テレビジョン電話通信を行っている最中に、受信側の携帯電話端末において使用者が録画操作を行った場合に、使用中のビデオチャネルを一時的に切断することによりこの受信側の携帯電話端末から送信側の携帯電話端末に向けＩフレームの送信要求を通知する。そして、この送信要求を受信した送信側の携帯電話端末が、Ｐフレームに代えてＩフレームを送信するようにしたものである。
【００１８】
図１は、この第１の実施形態に係わる移動通信システムの概略構成図である。同図において、システムがカバーするサービスエリアには複数の基地局ＢＳ１，ＢＳ２，…が分散して設置してあり、これらの基地局ＢＳ１，ＢＳ２，…は網ＮＷにそれぞれ接続されている。携帯電話端末ＭＳ１，ＭＳ２，…はそれぞれ、無線チャネルを介して最寄りの基地局ＢＳ１，ＢＳ２に接続され、これらの基地局ＢＳ１，ＢＳ２からさらに網ＮＷに接続される。網ＮＷでは、携帯電話端末ＭＳ１，ＭＳ２，…の発呼要求に応じて、該当する携帯電話端末ＭＳ１，ＭＳ２間を交換接続するための処理が行われる。そして、この交換接続処理により通信リンクが確立すると、以後携帯電話端末ＭＳ１，ＭＳ２間では無線テレビジョン電話通信が可能となる。
【００１９】
なお、上記無線チャネルのアクセス方式としては、例えばＷ−ＣＤＭＡ（Wideband-Code Division Multiple Access）方式が使用されるが、他にもＦＤＭＡ（Frequency Division Multiple Access）方式やＴＤＭＡ（Time Division Multiple Access）方式、さらには狭帯域のＣＤＭＡ方式を採用することも可能である。
【００２０】
図２は、上記移動通信システムの携帯電話端末ＭＳ１，ＭＳ２間で、動画像データ、音声データ及びコンピュータ・データを多重化伝送することにより、無線テレビジョン電話通信を行う際の仕組みを示す図である。
【００２１】
携帯電話端末ＭＳ１，ＭＳ２は物理レイヤ（具体的には移動交換網ＮＷ）により相互に接続され、ＭＵＸ−ＰＤＵと呼ばれるパケット単位でデータ伝送を行う。ＭＵＸ−ＰＤＵは、図示するごとく先頭にフラグとヘッダとを配置し、その後ろに画像データ、音声データ及びコンピュータ・データを交互に配置したものである。ヘッダにはＭＵＸ−ＰＤＵの内容を表す情報が挿入される。
【００２２】
物理レイヤの上位にはＡＬ／ＭＵＸレイヤ（具体的には多重分離部）が配置され、このＡＬ／ＭＵＸレイヤにおいて上記ＭＵＸ−ＰＤＵが生成される。また、ＡＬ／ＭＵＸレイヤの上位には高位レイヤが配置され、ここでビデオチャネル、オーディオチャネル及び制御・データチャネルの接続が行われる。高位レイヤは、後述するマルチメディア処理部、音声コーデック及びデータ通信部により実現される。
【００２３】
動画像データは束ねられてビデオチャネルにより伝送されるが、このビデオチャネルにはＭＰＥＧ−４ストリームが埋め込まれている。このＭＰＥＧ−４ストリームでは、図２に示すように１画面の全ての画像要素を含むＩフレーム（初期フレーム）が先ず送られ、以後各フレームタイミングごとに前フレームとの差分情報からなるＰフレームが順次送られる。
【００２４】
さて、上記各携帯電話端末ＭＳ１，ＭＳ２，…は次のように構成される。図３はその外観を示すもので、（ａ）は正面図、（ｂ）は側面図である。
この携帯電話端末ＭＳ１，ＭＳ２は、無線テレビジョン電話通信機能を有するもので、その筐体前面パネルには受話器としてのスピーカ３２、液晶表示器（ＬＣＤ）３４、キー入力部３５及び送話器としてのマイクロホン３１が配設されている。また筐体上部には、伸縮可能なアンテナ１１と、カメラ３３が取着されている。このカメラ３３は、ＣＭＯＳ又はＣＣＤ等の固体撮像素子を採用したもので、静止画像又は動画像を撮像可能である。さらに筐体背面部には、電源部用の装着部が設けられており、この装着部にはバッテリパックを構成する電源部４が着脱自在に装着される。
【００２５】
また、携帯電話端末ＭＳ１，ＭＳ２，…の回路は次のように構成される。図４はその機能構成を示すブロック図である。
携帯電話端末ＭＳ１，ＭＳ２，…は、無線部１と、ベースバンド部２と、入出力部３と、電源部４とから構成される。
【００２６】
同図において、基地局ＢＳ１，ＢＳ２，…から移動通信システム用の無線チャネルを介して到来した無線周波信号は、アンテナ１１で受信されたのちアンテナ共用器（ＤＵＰ）１２を介して受信回路（ＲＸ）１３に入力される。受信回路１３は、高周波増幅器、周波数変換器及び復調器を備える。そして、上記無線信号を低雑音増幅器で低雑音増幅したのち、周波数変換器において周波数シンセサイザ（ＳＹＮ）１４から発生された受信局部発振信号とミキシングして受信中間周波信号又は受信ベースバンド信号に周波数変換し、その出力信号を復調器でディジタル復調する。復調方式としては、例えばＱＰＳＫ方式に対応した直交復調方式が用いられる。なお、上記周波数シンセサイザ１４から発生される受信局部発振信号周波数は、ベースバンド部２に設けられた主制御部２１から指示される。
【００２７】
上記復調器から出力された復調信号はベースバンド部２に入力される。ベースバンド部２は、主制御部２１と、多重分離部２２と、音声符号復号部（以後音声コーデックと呼称する）２３と、マルチメディア処理部２４と、ＬＣＤ制御部２５と、受信データ記録用のメモリ部２６とを備えている。
【００２８】
上記復調信号は、主制御部２１において制御情報であるかマルチメディア情報であるかが識別され、マルチメディア情報であれば多重分離部２２に供給されてここで音声データと画像データとに分離される。そして、音声データは音声コーデック２３に供給されてここで音声復号され、これにより再生された音声信号は入出力部３のスピーカ３２から拡声出力される。これに対し画像データは、マルチメディア処理部２４に供給されてここで画像復号処理され、これにより再生された画像信号はＬＣＤ制御部２５を介して入出力部３のＬＣＤ３４に供給され表示される。
【００２９】
また、上記受信音声データ及び受信画像データは、キー入力部３５から録画指示が入力された場合に、主制御部２１の制御に従いメモリ部２６に記録される。またＬＣＤ３４には、主制御部２１から出力された自装置の動作状態を表す種々情報、例えば電話帳や受信電界強度検出値、バッテリの残量なども表示される。
【００３０】
一方、入出力部３のマイクロホン３１から出力された端末使用者の送話音声信号は、ベースバンド部２の音声コーデック２３に入力され、ここで音声符号化されたのち多重分離部２２に入力される。またカメラ（ＣＡＭ）３３から出力された画像信号は、ベースバンド部２のマルチメディア処理部２４に入力され、ここで画像符号化処理が施されたのち上記多重分離部２２に入力される。多重分離部２２では、上記符号化された音声データと画像データとがH.223等で規定される所定のフォーマットにより多重化され、この多重化された送信データは主制御部２１から無線部１の送信回路（ＴＸ）１５に入力される。
【００３１】
送信回路１５は、変調器、周波数変換器及び送信電力増幅器を備える。上記送信データは、変調器でディジタル変調されたのち、周波数変換器により周波数シンセサイザ１４から発生された送信局部発振信号とミキシングされて無線周波信号に周波数変換される。変調方式としては、ＱＰＳＫ方式が用いられる。そして、この生成された送信無線周波信号は、送信電力増幅器で所定の送信レベルに増幅されたのち、アンテナ共用器１２を介してアンテナ１１に供給され、このアンテナ１１から図示しない基地局に向け送信される。
【００３２】
なお、電源部４には、リチウムイオン電池等のバッテリ４１と、このバッテリ４１を充電するための充電回路４２と、電圧生成回路（ＰＳ）４３とが設けられている。電圧生成回路４３は、例えばＤＣ／ＤＣコンバータからなり、バッテリ４１の出力電圧をもとに所定の電源電圧Ｖccを生成する。
【００３３】
また入出力部３には、操作時及び通信時にＬＣＤ３４及びキー入力部３５を照明するための照明器３６が設けられている。この照明器３６は、例えばバックライト又はイルミネーションと呼ばれる。
【００３４】
ところで主制御部２１は、マイクロプロセッサと、ＲＯＭ及びＲＡＭなどからなる内部メモリとを備えたもので、無線チャネルの接続制御や通信リンク確立後の通信制御等、通常の制御機能に加えて、この発明に係わる制御機能として、送信要求通知制御手段２１ａと、Ｉフレーム送信制御手段２１ｂと、記録制御手段２１ｃとを備えている。
【００３５】
送信要求通知制御手段２１ａは、データ受信途中で、キー入力部３５の操作により録画指示が入力された場合に、使用中のビデオチャネルを一時的に切断することにより送信側の携帯電話端末に向けＩフレームの送信要求を通知する。
【００３６】
Ｉフレーム送信制御手段２１ｂは、データ送信中に、ビデオチャネルの一時的な切断を監視し、この一時的な切断を検出した場合にこれを受信側の携帯電話端末からのＩフレーム送信要求であると認識して、次のフレームタイミングにおいてＩフレームを作成しこれをＰフレームに代えて送信する。
【００３７】
記録制御手段２１ｃは、キー入力部３５の操作により録画指示が入力された場合に、受信された各フレームデータをメモリ部２６に記憶させるための制御を行う。ただし、データ受信途中で録画指示が入力された場合には、送信側の携帯電話端末からＩフレームが受信されるまで記録待機状態とし、Ｉフレームが受信された時点でこのＩフレームからメモリ部２６への記録を開始する。
【００３８】
次に、以上のように構成された移動通信システム及び携帯電話端末ＭＳ１，ＭＳ２の動作を説明する。図５は、携帯電話端末ＭＳ１，ＭＳ２の動作内容を示すフローチャートである。
【００３９】
いま仮に、携帯電話端末ＭＳ１と携帯電話端末ＭＳ２とが、ＭＰＥＧ−４を用いて無線テレビジョン電話通信を開始したとする。そうすると、送信側の携帯電話端末ＭＳ１は、ステップ５ａでカメラ３３により撮像して得た画像データをもとに、先ずステップ５ｂで初期基準画面情報であるＩフレームを作成し、このＩフレームを最初のフレームタイミングで送信する。また第２フレーム以降の各フレームタイミングではそれぞれ、ステップ５ｃで１フレーム前の画像データとの差分情報を作成し、この差分情報をＰフレームとして順次送信する。
【００４０】
これに対し通信相手の携帯電話端末ＭＳ２は、先ずステップ５ｄで上記携帯電話端末ＭＳ１から伝送されたＩフレームを受信し、このＩフレームをもとにマルチメディア処理部２４で完全な１画面データを復号再生してこの１画面データをステップ５ｄでＬＣＤ３４に表示する。そして、それ以後は携帯電話端末ＭＳ１から伝送されたＰフレームを順次受信し、これらのＰフレームをそれぞれその１フレーム前に復号再生した画像データに加算することで１画面データを復号再生し、これらの１画面データをステップ５ｅでＬＣＤ３４に表示する。
【００４１】
図６は、上記ＭＰＥＧ−４を使用した画像データ圧縮伝送方式の動作例を模式的に示したものである。同図において、いま例えば送信側の携帯電話端末ＭＳ１においてＶ１，Ｖ２，Ｖ３，…に示す画像データがカメラ３３により順次得られたとする。そうすると送信側の携帯電話端末ＭＳ１は、先ず上記画像データＶ１を静止画として圧縮してＩフレームとして送信する。これに対し受信側の携帯電話端末ＭＳ２は、上記Ｉフレームをもとに１画面データＶ１′を復号再生してこれをＬＣＤ３４に表示する。
【００４２】
次に送信側の携帯電話端末ＭＳ１は、上記画像データＶ２，Ｖ３，…が得られるごとに、これらの画像データＶ２，Ｖ３，…とその１フレーム前の画像データＶ１，Ｖ２，…との間の差分を検出し、この差分情報をそれぞれＰフレームとして送信する。これに対し受信側の携帯電話端末ＭＳ２は、上記Ｐフレームを受信するごとにそれぞれ、そのデータを１画面前に再生した画像データＶ１′，Ｖ２′，…に加算して画像データを再生し、これらの再生画像データをＬＣＤ３４に表示する。
【００４３】
またＭＰＥＧ−４では、上記各Ｐフレームにそれぞれマクロブロックが設定され、このマクロブロックにおいては、絶対値情報として符号化されるＩマクロブロックと、差分情報として符号化されるＰマクロブロックとがある。マクロブロックのサイズは、例えば１画面データのサイズが横１７６画素×縦１４４画素の場合、縦横共に１６画素に設定される。すなわち、この場合１画面を構成するために必要なマクロブロックの数は９９個となる。なお、図５では簡単のため１画面のマクロブロック数が３０の場合を例示している。
【００４４】
１画面を構成するために必要な９９個のマクロブロックは、１３３個のＰフレームのうち、任意の９９個のＰフレームに分散配置されて伝送される。なお、１画面を再構成するために必要な９９個のマクロブロックを、１３３個のＰフレームのうちのどのフレームのどの位置に設定するかについては、動き検出などを行い動的に決定する。もちろん予め定められた順に決定してもかまわない。
【００４５】
さて、以上のような無線テレビジョン電話通信を行っている最中に、いま例えば携帯電話端末ＭＳ２において使用者がキー入力部３５を操作して録画指示を入力したとする（ステップ５ｆ）。そうすると携帯電話端末ＭＳ２の主制御部２１は、ステップ５ｇにより初期画面情報の送信要求、つまりＩフレーム送信要求を通信相手の携帯電話端末ＭＳ１に対し通知する。具体的には、図７に示すごとく画像データの伝送に使用中のビデオチャネルを切断（クローズ）し、一定時間内に接続（オープン）状態に復帰させることにより通知する。
【００４６】
これに対し携帯電話端末ＭＳ１の主制御部２１は、データ伝送中に、通信相手の携帯電話端末ＭＳ２との間に設定してあるビデオチャネルの一時的な切断を監視している。そして、この切断を検出すると、Ｉフレーム送信要求が到来したものと判断して、ステップ５ｈで初期画面情報、つまりＩフレームを作成し、このＩフレームをステップ５ｉでＰフレームに代えて携帯電話端末ＭＳ２に向け送信する。なお、このＩフレーム送信後は、ステップ５ｊにおいてＰフレームを順次送信する。
【００４７】
これに対し携帯電話端末ＭＳ２は、上記携帯電話端末ＭＳ１からＩフレームが到来するまで画像データの再生及び表示を停止し、Ｉフレームが受信されるとこのＩフレームをもとにマルチメディア処理部２４で完全な１画面データを再生してこの１画面データをＬＣＤ３４に表示する。またそれと共にステップ５ｋにおいて、上記受信したＩフレームをメモリ部２６に格納する。
【００４８】
そして、それ以後は携帯電話端末ＭＳ１から伝送されたＰフレームを順次受信し、これらのＰフレームをそれぞれ１フレーム前に再生した画像データに加算することで１画面データを再生しＬＣＤ３４に表示するとともに、ステップ５ｍで上記受信したＰフレームをメモリ部２６に格納する。
【００４９】
図８は以上の録画動作を模式的に示したものである。
【００５０】
以上のように第１の実施形態では、携帯電話端末ＭＳ１，ＭＳ２間で、ＭＰＥＧ−４を使用して無線テレビジョン電話通信を行っている最中に、受信側の携帯電話端末ＭＳ２において使用者が録画操作を行った場合に、使用中のビデオチャネルを一時的に切断することによりこの受信側の携帯電話端末ＭＳ２から送信側の携帯電話端末ＭＳ１に向けＩフレームの送信要求を通知する。そして、このＩフレーム送信要求を受信した送信側の携帯電話端末ＭＳ１が、Ｐフレームに代えてＩフレームを送信するようにしている。
【００５１】
したがって、データ受信途中で録画操作が行われた場合にもＩフレームから記録することが可能となり、これにより録画開始直後から高品質の画像データを記録することができる。
【００５２】
また、Ｉフレーム送信要求をビデオチャネルの一時的な切断により通知するようにしているので、Ｉフレーム送信要求信号を生成する機能と、このＩフレーム送信要求を受信して検出する機能を新たに設ける必要がなく、これにより簡単なシーケンスで実現できる利点がある。
【００５３】
さらに、録画操作が行われた時点から、送信側から伝送されたＩフレームが受信されるまでは記録待機状態とし、Ｉフレームの受信後にこのＩフレームから記録を開始するようにしているので、Ｉフレームが受信されるまでの間に、再生に実質的に寄与しないＰフレームが無駄に記録されないようにすることができ、これにより有限のデータ記録用メモリ部２６の記憶容量を有効に使用することができる。
【００５４】
（第２の実施形態）
この発明に係わる第２の実施形態は、録画開始操作が入力された時点から、送信側から伝送されたＩフレームが受信されるまでの間は録画待機状態とすると共に、この録画待機期間中に録画開始の了解を使用者に求めるためのメッセージを表示するようにしたものである。
【００５５】
図９は、この第２の実施形態に係わる携帯電話端末ＭＳ１，ＭＳ２の動作内容を示すフローチャートである。なお、同図において前記図５と同一部分には同一符号を付して詳しい説明は省略する。
【００５６】
携帯電話端末ＭＳ１，ＭＳ２間において無線テレビジョン電話通信を行っている最中に、いま例えば携帯電話端末ＭＳ２において使用者がキー入力部３５を操作して録画指示を入力したとする（ステップ５ｆ）。そうすると携帯電話端末ＭＳ２の主制御部２１は、ステップ５ｇによりＩフレーム送信要求を通信相手の携帯電話端末ＭＳ１に対し通知する。具体的には、図７に示したように画像データの伝送に使用中のビデオチャネルを切断（クローズ）し、一定時間内に接続（オープン）状態に復帰させることにより通知する。
【００５７】
さて、上記Ｉフレーム送信要求を送信すると携帯電話端末ＭＳ２の主制御部２１は、当該Ｉフレーム送信要求に応じて携帯電話端末ＭＳ１からＩフレームが到来するまでの期間を記録動作待機状態に設定し、この期間を利用してステップ９ａにおいて録画確認メッセージを生成し、このメッセージをＬＣＤ３４に表示させる。例えば、図１０に示すように「録画してよろしいですか？」なる録画確認メッセージを表示する。
【００５８】
これに対し使用者が、キー入力部３５を操作して「ＯＫ」を入力したとすると、携帯電話端末ＭＳ２の主制御部２１はこの入力をステップ９ｂで認識し、ステップ５ｋに移行する。そして、この録画確認シーケンスの間に通信相手の携帯電話端末ＭＳ１からＩフレームが伝送されると、このＩフレームをもとに画像データを再生してＬＣＤ３４に表示させると共に、ステップ５ｋにおいて上記Ｉフレームをメモリ部２６に格納する。
【００５９】
そして、それ以後は携帯電話端末ＭＳ１から伝送されたＰフレームを順次受信し、これらのＰフレームをそれぞれ１フレーム前に再生した画像データに加算することで１画面データを再生しＬＣＤ３４に表示するとともに、ステップ５ｍで上記受信したＰフレームをメモリ部２６に格納する。
【００６０】
したがってこの第２の実施形態によれば、Ｉフレーム送信要求を送信した後、当該Ｉフレーム送信要求に応じて携帯電話端末ＭＳ１からＩフレームが到来するまでの期間を記録動作待機状態に設定し、この期間を利用して録画確認メッセージを生成してＬＣＤ３４に表示するようにしたことによって、使用者は上記記録動作待機状態を意識せずに済む。このため、上記記録動作待機状態における受信画像の表示の一時停止を使用者が故障と誤判断してしまう不具合を防止することができる。
【００６１】
（その他の実施形態）
前記各実施形態では、Ｉフレーム送信要求の通知手段として、使用中のビデオチャネルの一時的な切断を利用するようにした。しかし、それに限らず例えば録画操作が行われた側の携帯電話端末ＭＳ２でＩフレーム送信要求信号を作成し、このＩフレーム送信要求信号を図７に示す制御チャネル、データチャネル又は音声チャネルを利用して通信相手側の携帯電話端末ＭＳ１に通知するようにしてもよい。
【００６２】
また上記Ｉフレーム送信要求は、高位レイヤのビデオチャネルや制御／データチャネル、オーディオチャネルを利用して通知する以外に、ＡＬ／ＭＵＸレイヤなどのその他のレイヤのチャネルを利用して通知するようにしてもよい。
【００６３】
さらに前記各実施形態では、受信したＩフレーム及びＰフレームを受信データのまま主制御部２１からメモリ部２６に供給して記録するようにしたが、多重分離部２２で分離された後のＩフレーム及びＰフレームをメモリ部２６に記録するようにしてもよく、またマルチメディア処理部２４で受信Ｉフレーム及びＰフレームをもとに再生した画像データをメモリ部２６に記録するようにしてもよい。
【００６４】
さらに前記実施形態では、録画を開始させるための操作に応動してＩフレーム送信要求を通知するようにしたが、それに限らず例えば録画開始操作の前に録画準備操作が行われる場合には、この録画準備操作に応動してＩフレーム送信要求を通知するようにしてもよい。
【００６５】
さらに、画像データの符号化圧縮／伸張方式についてはＭＰＥＧ−４以外にH.263等のその他の方式を採用してもよく、また伝送データの種類についても動画像データ以外に静止画データやその他のデータであってもよい。
【００６６】
さらに、前記各実施形態では、携帯電話端末ＭＳ１，ＭＳ２間で無線テレビジョン電話通信を行う場合を例にとって説明した。しかし、それに限らず例えば図１１に示すように、携帯電話端末又はそれに代わる携帯情報端末を網ＮＷを介してインターネット上のＷＷＷサーバＳＶ等に接続し、このサーバＳＶからホームページの情報等をダウンロードするような場合にもこの発明を適用できる。
【００６７】
また前記各実施形態では、移動通信システムを例にとって説明したが、この発明は無線ＬＡＮやＢＴ（Bluetooth）に代表される近距離無線データ通信方式を使用する機器間無線伝送システム等にも適用することができ、さらには有線伝送システムに適用してもよい。
【００６８】
その他、通信装置の種類やその構成、Ｉフレームの送信要求通知手段及びＩフレームの送信制御手段の制御手順とその内容などについても、この発明の要旨を逸脱しない範囲で種々変形して実施できる。
【００６９】
【発明の効果】
以上詳述したようにこの発明では、時間軸上で関連性を有するデータ群を送信側から受信側へ通信チャネルを介して伝送する際に、初期フレームタイミングでは前記データ群のうち独立して意味をなす自立情報を伝送し、それ以後の各フレームタイミングではそれぞれ主として元のデータとの差分で構成される従属情報を伝送するデータ伝送システムにおいて、上記自立情報及び従属情報の伝送中に、受信側で受信情報又は復元データ群を記録させるための記録指示が入力された場合に、受信側で上記自立情報及び従属情報を伝送するための通信チャネルを一時的に切断することにより受信側から送信側へ上記自立情報の送信要求を通知し、上記送信側で上記通信チャネルの一時的な切断の有無を監視して、この一時的な切断の検出に応じて送信側から受信側へ少なくとも１フレーム分の自立情報を伝送するようにしている。
【００７０】
したがってこの発明によれば、データ受信途中で記録を開始する場合でも、記録指示の入力直後から高品質のデータを記録することが可能なデータ伝送システムとその通信装置を提供することができる。
【図面の簡単な説明】
【図１】  この発明に係わるデータ伝送システムの第１の実施形態である移動通信システムの概略構成を示す図。
【図２】  ＭＰＥＧ−４によるマルチメディア伝送システムのレイヤ構成を示す図。
【図３】  図１に示したシステムで使用される携帯電話端末の外観を示す図。
【図４】  図１に示したシステムで使用される携帯電話端末の回路構成を示す機能ブロック図。
【図５】  この発明の第１の実施形態に係わる携帯電話端末の動作内容を示すフローチャート。
【図６】  ＭＰＥＧ−４を使用した画像データ圧縮伝送方式の動作を模式的に示す図。
【図７】  携帯電話端末間の高位レイヤにおける接続シーケンスを示す図。
【図８】  図２に示した携帯電話端末による録画動作を模式的に示した図。
【図９】  この発明の第２の実施形態に係わる携帯電話端末の動作内容を示すフローチャート。
【図１０】  この発明の第２の実施形態に係わる携帯電話端末における録画確認メッセージの表示例を示す図。
【図１１】  この発明に係わるデータ伝送システムのその他の実施形態である情報ダウンロードシステムの概略構成を示す図。
【符号の説明】
ＮＷ…網
ＢＳ，ＢＳ１，ＢＳ２…基地局
ＭＳ，ＭＳ１，ＭＳ２…携帯電話端末
ＳＶ…サーバ
１…携帯電話端末の無線部
２…携帯電話端末のベースバンド部
３…携帯電話端末の入出力部
４…携帯電話端末の電源部
１１…アンテナ
１２…アンテナ共用器（ＤＰＸ）
１３…受信回路（ＲＸ）
１４…周波数シンセサイザ（ＳＹＮ）
１５…送信回路（ＴＸ）
２１…携帯電話機の主制御部
２１ａ…送信要求通知制御手段
２１ｂ…Ｉフレーム送信制御手段
２１ｃ…記録制御手段
２２…多重分離部
２３…音声コーデック
２４…マルチメディア処理部
２５…ＬＣＤ制御部
２６…メモリ部
３１…マイクロホン
３２…スピーカ
３３…カメラ
３４…液晶表示器（ＬＣＤ）
３５…キー入力部
３６…照明器
４１…バッテリ
４２…充電回路（ＣＨＧ）
４３…電圧生成回路（ＰＳ）
【図１】
0004421055.tif 000002
【図２】
0004421055.tif 000003
【図３】
0004421055.tif 000004
【図４】
0004421055.tif 000005
【図５】
0004421055.tif 000006
【図６】
0004421055.tif 000007
【図７】
0004421055.tif 000008
【図８】
0004421055.tif 000009
【図９】
0004421055.tif 000010
【図１０】
0004421055.tif 000011
【図１１】
0004421055.tif 000012